(57)【要約】      （修正有）【課題】人体の肥満率を体重でなく体積にて判定する。【解決手段】ダンボール紙の左方及び右方を上方に折り曲げたるものを、二枚作製し、夫々の中央部を交差させ、蓋の無い箱体に形成させる。この箱体より僅か大寸の箱と、小寸の箱を薄い柔軟な合成樹脂素材にて作製する。大寸の合成樹脂箱の中にダンボール紙箱を入れる。ダンボール紙箱の中に小寸の合成樹脂箱を入れる。このようにして成りたる水槽を家庭浴槽の中に入れて人体の体積を測定する。  【選択図】図１
0003130424.tif 000002
【実用新案登録請求の範囲】
【請求項１】
上面が開放された三層にて成る箱体物において、内側層箱体物及び外側層箱体物が防水性軟質素材にて成ることを特徴とする組み立て水槽。
【請求項２】
請求項１記載の組み立て水槽において、中間層の箱体物を組み立て分解可能にして成ることを特徴とする組み立て水槽。
【請求項３】
請求項１記載の組み立て水槽において、中間層を一枚紙の四辺折り曲げ方式にて、組み立て分解を可能としたことを特徴とした組み立て水槽。
【請求項４】
請求項１記載の組み立て水槽において、中間層を二枚紙の端曲げ重ねにて、組み立て分解することを可能としたことを特徴とした組み立て水槽。
【請求項５】
請求項１記載の組み立て水槽において、中間層箱体物が紙製素材にて組み立て分解して成ることを特徴とする組み立て水槽。
【考案の詳細な説明】
【技術分野】
【０００１】  本考案は人体の収納可能な大型水槽であって、組み立て分解の可能な、特殊水槽に関するものである。
【背景技術】
【０００２】  魚を育成するため、又は活魚を一時的に保管するための水槽として、防水シートにて作られた組み立て方式の水槽がかなり以前より一般化されている。
一般家庭用品としては、折り畳み式のバケツがある、これは小型な水槽と言えるものである、大型のものとしては、合成樹脂製の子供遊具のプールがある、これ等のものは、かなり以前より市販されて居り、一般化したものである。
上記以外の用途に使用する組み立て方式の水槽は見受けられない。【０００３】
【特許文献】  実願２００６ー９９８８
【考案の開示】
【考案が解決しようとする課題】
【０００４】  人体の体積を測定する方法として、密閉された容器内に人体を入れ、容器内の空気量を測定して人体の体積を算定するものがある、又人体の全面に音波を当て測定する方式のものも考えられているが、最も簡単な方式は水槽を利用して人体出入による水位の変化による体積測定方法である。
水槽方式の体積測定方法は理論的には、可能であるが、実際的には問題があり、そのため、人体の体積測定装置は皆無であり、一基も実現して居ない。
人体の体積測定は、人体の肥満率を正確に算定する資料である、肥満防止運動の効果を認知するには、肥満者が日常の生活の中で自己の肥満状態を正確に把握しなければならない、そのため家庭内にて身体の体積測定が簡単に実施できなければならない。
大きな測定器を一般家庭内に設置する事は、常識として不可能である、又その測定は頻繁にする必要の無いものである、不使用時は邪魔物である、しかし必要なものである。
体積測定は保健上において必要なものであるが、生活上において必需でない、そのため安価なものでなければ、受け入れられない、以上を要約すれば、一般家庭用の人体体積測定に使用する水槽は、組み立て分解が容易にでき、分解後は小容積になり収納を便利にする、又極めて安価に製造し得るために、安価な資材にて簡単に製造できる構成であること、そして正確な精度を維持する機能を有すること、使い易いこと。
本考案は人体の体積を測定するに際し使用する特殊な水槽であるため、通常の一般水槽と全ての点において相違するものである。
【課題を解決するための手段】
【０００５】  本考案は上記の問題点を解決するためになされたものであって、安価に作製することを解決させるために、家庭の浴槽の中に入れる二重水槽方式を採用している、この中の水槽として使用する水槽が本考案の水槽である。
本考案の水槽を家庭浴槽の中に入れて人体の体積を測定する要領は、本考案出願者が、実癌２００６ー９９８８にて類似したもの出願して居り、本願書の目的は水槽の構成であるため人体の体積測定の方法説明は不要として省略するる
単体の水槽にても、強固に作製された水槽であれば人体の体積測定は可能であるが、軽薄な水槽は水圧にて側壁が変形するため測定用として使用できない。
強固な水槽は単体にても測定可能であるが、製造価格が高価になり販売上において実施不能になる、水槽の製造価格を安価なものにしなければ体積測定器は製品化できない。
軽薄な安価な水槽にて人体の体積測定を可能化するために、家庭の浴槽内に軽薄に作られた測定用水槽を入れ、二重水槽方式にする。
家庭の浴槽内に入る水槽は内面、外面が同じ水圧を受けるため軽薄な水槽にても変形しない、この特徴は本考案者の実願２００６ー９９８８に記載されている。【０００６】  本考案は一般家庭の浴槽内に入れる、人体の体積測定用の水槽の考案であって、二重水槽方式として使用するものである。
二重水槽方式の一番の利点は、軽薄な水槽にても良い事である、このため本水槽の骨体材として、ダンボール紙、ボール紙、ベニヤ板、合成樹脂板、等にて簡単、安価にて製作でき、且つこれ等の素材は組み立て分解が可能である、このため運送費が低減され、収納が便利になる。
水槽骨体の組み立て方としては、折り曲げ方式、又は重ね方式、貼り止め方式、等にて行う、水槽の骨体を分解可能な方式にすれば、便利な利点があるが、反面において水漏れが生じる、この水漏れを防止するために、水槽の外面と内面の夫々を柔軟な防水性素材にて作られた箱型物にて覆う、この箱型物は水圧を受けると骨体に密着する。
箱型物は薄い合成樹脂素材を使用すれば、製作が容易であり安価にでき、折り畳めるため収納にも便利である。
本考案水槽の底部に水を出し入れするための開閉具が設けられる事は勿論である。
【考案の効果】
【０００７】  本考案は次の効果を奏する、水槽を分解、組み立て方式になしたるため、分解すれば、小さくなり、収納に便利になる、又製作が容易になるため製造費が安価になる。
人体の体積測定は健康管理上において必要なものであるが、生活上において必要なものでなく、そのため安価に製作できる事が肝要になる。
本考案は安い素材にて安価に作る事を目的として考案され、その目的を達成することにより、体積測定にて肥満防止対策が正確、容易に実施できる。
従来の人体の脂肪率算定は体重を基準にしていたが、それは体積測定が不可能であったためで、本考案により今後は体積測定が容易化され体積による脂肪率測定方法が常識として実施されるだろう。
大きな水槽を分解方式にして、小容積にできるため、荷造り、運送費が低減できる効果もある。
【考案を実施するための最良の形態】
【０００８】  適宜形に裁断されたるダンボール紙の左方及び右方を上方に折り曲げたるものを、二枚作製し、夫々の中央部を交差させ、蓋の無い箱体に形成させる、ダンボール紙にて組み立てられたる、この箱体より僅か大寸の箱と、小寸の箱を薄い柔軟な合成樹脂素材にて作製する。
大寸の合成樹脂箱の中にダンボール紙箱を入れる、ダンボール紙箱の中に小寸の合成樹脂箱を入れる、このようにして成りたる水槽を家庭浴槽の中に入れて人体の体積を測定する。
【実施例】
【０００９】  以下、本考案を図面に基づき詳細に説明する、［図１］は本考案の組み立て水槽の説明斜視図であって、上面が開放された箱体の形状をなして居る、一般家庭の浴槽は成型にて大量生産したるものであるため側壁が垂直でなくテーパ状をなしている、このため人体の体積測定に使用すれは不可能なものでないが、実際上において算定困難なるため不可能に近い、従来の体積測定用としての特許先願は家庭浴槽のみを、そのまま使用した方式なるため実際上にて実施できなかった。
本考案は測定用水槽を家庭浴槽の中に入れ二重浴槽の状態にて使用するものであって、中に入れる水槽の側壁が垂直をなしているため、人体の体積測定が容易に算定できるものである。
［図１］の１は本考案の組み立て水槽の箱型形状を保持させるための骨体であって、素材としては簡単、安価に製作せしめるため材質として、ダンホール紙、ボール紙、ベニヤ板、合成樹脂板等が適用されるが、このような素材に限定されるものでなく、使用可能ならば、どのような素材を使用しても良いこは勿論である。
骨体１は組み立て分解可能であるため気密性に作れない、又防水加工をすれば高価になるため防水加工はなるべくされない。
骨体１の内面及び外面の夫々を防水性にするため、骨体１の中に防水性の内部箱体物２を入れる。
防水性の外部箱体物３の中に骨体１を入れる、このように本案組み立て水槽は三重の箱にてできている。                              入れる。【００１０】  ［図２］は本考案の組み立て水槽を分解した説明図でる、内面箱体物２及び外面箱体物３は薄い柔軟な合成樹脂フイルムのような防水性素材にて作られているが、他の素材にても使用し得るものなれば、どのような素材にても代用し得ることは勿論である。
内部箱体物２は骨体１の内部寸法より僅かに小さく作られており、骨材１の中に入れて使用するものである、この内部箱体物２の中に水を入れると、水圧にて膨脹し、骨体１の内面に密着する、このため骨体１は機密性を有する水槽になる。
外部箱体物３は内部箱体物２と同じ素材にて同じ形状に作られたものであるが、内寸法が骨体１の外寸法より僅かながら大きく作られている。
骨体１を外部箱体物３の中に入れて、それを家庭浴槽の中に入れると、水圧にて外部箱体物３は骨体１に密着する、この場合、骨体１は内面及び外面、共に等しい水圧を受けるため、骨体１の側壁は変形しない、この不変原理により本案の骨体１は弱体にても水圧の影響を受けず軽便な水槽にて人体の体積測定が可能である。。【００１１】  ［図３］は本考案の組み立て水槽の側面断面図であって、外部箱体物３の中に骨体１を入れ、骨体１の中に内部箱体物２を入れた状態を示した断面図である。
この組み立て水槽を一般の家庭浴槽の中に入れ二重浴槽の状態にて使用するものである。
一般家庭の浴槽は家庭毎に浴槽の規格が相違しているため、その規格に適合した測定用水槽を作製することは勿論である。
骨体１は、それ自体は強固なもので無いが、内部箱体物２及び外部箱体物３にて覆われ水圧にて押圧されるると強度が発生し体積測定装置として何等支障を与ず使用できる。【００１２】  ［図４］は本考案の組み立て水槽の骨体１を一枚のダンボール紙にて作製する場合の裁断図であって、４は底面部である、５は前側面、６は後側面、７は左側面、８は右側面である、この各面の折り曲げ点線位置を折り曲げると、箱型になる、この方法は一般の通常の箱製造方法である、この方法は簡単であるが、資材の無駄が生じ又折り畳みが困難であるため好ましくない。【００１３】  ［図５］は本考案の組み立て水槽の骨体１を二枚のタンボール紙にて作製する場合の裁断図であって、９は底面、１０は左側面、１１は右側面である、１２は底面、１３は前側面、１４は後側面であって、この二つ部材の底面９と底面１２を重ねると、［図４］と全く同じものになるが、［図５］は二枚であるため分離すると、折り畳みが容易であり、又製造に際し材料の無駄が無く、製造も容易であり、最も合理的である。
ベニヤ板のような硬質の素材を使用する場合は折り曲げ部を他の素材にて接続し折り曲げ可能にせしめる事は勿論である、本考案の水槽は底部に水を出し入れする開閉具が設けられるが、この記載は省略する、又使用素材としては、可能なものなれば、どのような素材にても良いことは勿論である。
本考案は、このような記載例に何等限定されるものでなく、考案の要旨を逸脱しない範囲において種々なる態様にて実施し得ることは勿論である。
【産業上利用の可能性】
【００１４】  現今社会は肥満者が激増しており、そのため痩身の運動が盛んになって居るが、その運動の成果を正しく測定する器具、装置が無く、そのため体重にて一応の判定をしていたが、本考案装置の出現により運動成果の測定が正確に判定できる。
本考案は一般家庭にて実施でき極めて安価でるため、普及の可能性は高いものである。
【図面の簡単な説明】
【００１５】
【図１】は本考案の組み立て水槽の説明斜視図である。
【図２】は本考案の組み立て水槽を分解した説明図である。
【図３】は本考案の組み立て水槽の側面断面図である。
【図４】は本考案の組み立て水槽の骨体を一枚にて作製する場合の裁断図である
【図５】は本考案の組み立て水槽の骨体を二枚にて作製する場合の裁断図である。
【符号の説明】
１  骨体
２  内部箱体物
３  外部箱体物
４  底面
５  前側面
６  後側面
７  左側面
８  右側面
９  底面
１０  左側面
１１  右側面
１２  底面
１３  前側面
１４  後側面
【図１】
0003130424.tif 000003
【図２】
0003130424.tif 000004
【図３】
0003130424.tif 000005
【図４】
0003130424.tif 000006
【図５】
0003130424.tif 000007